(57)【特許請求の範囲】
【請求項１】
温水供給器を補助熱源機に接続するための湯水混合ユニットであって、上記温水供給器の温水出湯路がその流入口に接続される温水路と、水源の給水路がその流入口に接続される冷水路と、上記温水路および上記冷水路が合流されると共にその流出口に上記補助熱源機の入水路が接続される混合水路と、上記混合水路に流入される温水と水の混合割合を調整する混合調整器とを有し、
上記冷水路から分岐されて上記混合水路に至るバイパス通路と、
上記バイパス通路に設けられ、温水と水の混合制御の出来ない異常が起こった場合に上記冷水路内の水が上記バイパス通路を通して上記混合水路に流れ込むように全閉状態から全開状態となる開閉弁とを備えることを特徴とする湯水混合ユニット。
【請求項２】
請求項１に記載の湯水混合ユニットにおいて、
上記バイパス通路は、混合水路内に送り込まれる温水を所定温度以下に冷ませる水量の水を供給可能とする構成であることを特徴とする湯水混合ユニット。
【請求項３】
請求項１または２に記載の湯水混合ユニットにおいて、
上記バイパス通路の下流端は、上記混合水路における上記温水路および上記冷水路の合流点よりも下流側に接続されることを特徴とする湯水混合ユニット。
【発明の詳細な説明】
【０００１】
【発明の属する技術分野】
本発明は、例えば、自然エネルギーを利用した太陽熱温水器等や廃熱を利用した温水器等で構成される温水供給器を給湯器等の補助熱源機に接続するための湯水混合ユニットに関し、異常時においても温水供給器からの温水を有効利用できるようにすると共に、この異常時に補助熱源機から高温のお湯が出湯されることがないようにする技術に関するものである。
【０００２】
【従来の技術】
従来より、例えば、湯水混合ユニットによって温水供給器としての太陽熱温水器を補助熱源機としての給湯器に接続し、上記太陽熱温水器からのソーラ温水を利用するようにしたソーラ給湯システムが、特開平１０−１９６９８３号公報に開示されている。
【０００３】
この公報に記載のソーラ給湯システムは、図４に示すように、湯水混合ユニットＣにおいては、太陽熱温水器Ｂ側に接続されるソーラ温水路４７０と、上水道側に接続される冷水路４８０と、これらソーラ温水路４７０および冷水路４８０が合流されて給湯器Ａ側に接続される混合水路４２１と、上記各水路４７０，４８０，４２１の合流点に設けられてソーラ温水路４７０のソーラ温水（温水）と冷水路４８０の水道水とを混合調節する混合調節弁４６１と、この混合調節弁４６１の動作制御を行うコントローラ４６０とを備える。
このものは、給湯器Ａの使用者が給湯カラン４２２等を操作し給湯器Ａ側で最低作動水量以上となったときにコントローラ４６０の指示によって混合調節弁４６１での混合動作が開始され、これによって、ソーラ温水が利用されるようになるというものである。また、上記コントローラ４６０は、給湯設定温度が入力されるリモコン４５０と接続された給湯器Ａの主コントローラ４３０と接続されており、この主コントローラ４３０からの情報を受け取って上記混合調節弁４６１の動作制御を行う。
【０００４】
一方、上記湯水混合ユニットＣは、以下の安全措置が講じられている。
すなわち、上記ソーラ温水路４７０に電磁開閉弁４６２が設けられ、上記混合調節弁４６１が故障した場合にコントローラ４６０からの指示でこの電磁開閉弁４６２を全閉状態にしてソーラ温水路４７０を完全に遮断する。これによって、混合調節弁４６１が故障してソーラ温水と水道水の混合制御が出来ない異常の場合は、高温のソーラ温水が給湯器Ａ側に供給されないようにし、給湯器Ａの使用者が火傷を負わないようにしている。
【０００５】
また、混合調節弁４６１は故障していないが、水温センサ４６３，４６４，４６５が故障してソーラ温水と水道水の混合制御が出来ない異常の場合は、コントローラ４６０からの指示で混合調節弁４６１を水側全開状態とするとともにソーラ温水側を全閉状態とする。これによっても、上記の異常の場合、給湯器Ａ側に高温のソーラ温水が供給されないので、使用者の安全が確保されている。
【０００６】
【発明が解決しようとする課題】
しかしながら、上記混合調節弁４６１が故障等した異常が起こった場合は、太陽熱温水器Ｂのソーラ温水が全く使用されなくなるので、このような異常時においては太陽熱温水器Ｂのソーラ温水を有効利用できないという問題がある。
【０００７】
また、上記ソーラ温水路４７０に電磁開閉弁４６２が設けられているため、このソーラ温水路４７０を流れるソーラ温水は、上記電磁開閉弁４６２によって通水抵抗を受けるので、冷水路４８０に比してソーラ温水路４７０側の通水抵抗が大きくなる。その結果、上記異常がなく正常な場合であっても、水道水に比してソーラ温水の方が流れ難くなるため、太陽熱温水器Ｂからのソーラ温水供給が円滑に行われ難く、給湯器Ａ側でソーラ温水を十分に利用できなくなってしまう。
【０００８】
そして、給湯器Ａでの給湯設定温度が太陽熱温水器Ｂのソーラ温水温度と等しい場合は、上記混合調節弁４６１が冷水路４８０を閉じてソーラ温水だけが給湯器Ａの出湯口から出るようにされる。従って、この場合は、ソーラ温水がソーラ温水路４７０を流れるときに上記電磁開閉弁４６２によって通水抵抗を受けるため、給湯器Ａの出湯口からの出湯量を多く確保できない。
【０００９】
また、上記電磁開閉弁４６２は、ソーラ温水路４７０に設けられているので、高温のソーラ温水に耐える耐熱性が要求され、耐熱性材料でこの電磁開閉弁４６２を構成する必要があり、コスト高となる。耐熱性材料で電磁開閉弁４６２を構成しないと、電磁開閉弁４６２は、高温のソーラ温水の熱的負荷に耐えきれず直ぐに故障してしまうおそれがあるからである。
【００１０】
本発明は、このような事情に鑑みてなされたものであり、湯水混合ユニットにおいて、温水と水との混合制御の出来ない異常が起こった場合でも、必ず温水供給器からの温水を利用できるようにすると共に補助熱源機からは火傷を負う程の高温のお湯が出湯されないようにすることを課題とする。
【００１１】
【課題を解決するための手段】
（１）本発明に係る湯水混合ユニットは、温水供給器を補助熱源機に接続するための湯水混合ユニットであって、上記温水供給器の温水出湯路がその流入口に接続される温水路と、水源の給水路がその流入口に接続される冷水路と、上記温水路および上記冷水路が合流されると共にその流出口に上記補助熱源機の入水路が接続される混合水路と、上記混合水路に流入される温水と水の混合割合を調整する混合調整器とを有し、
上記冷水路から分岐されて上記混合水路に至るバイパス通路と、
上記バイパス通路に設けられ、温水と水の混合制御の出来ない異常が起こった場合に上記冷水路内の水が上記バイパス通路を通して上記混合水路に流れ込むように全閉状態から全開状態となる開閉弁とを備えることを特徴とする。
【００１２】
上記手段によると、上記混合調整器によって温水と水の混合制御が出来ない異常が起こった場合、温水は温水路から混合水路にそのまま流される状態にあるが、バイパス通路に設けた開閉弁が全開されてバイパス通路から混合水路に水が送り込まれる。
【００１３】
しかも、上記異常の場合に混合調整器での温水の量と水の量との混合比がどのような状態であってもバイパス通路から送り込まれる水によって混合水路内の温水が所定温度以下の安全温度域まで冷まされることとなる。
【００１４】
また、上記開閉弁は、水の流れるバイパス通路に設けられているので、この開閉弁としては高温耐熱性が要求されることもない。
また、温水路には、従来例のような電磁開閉弁が設けられていないので温水に対する通水抵抗が小さい。
【００１５】
なお、上記異常がない場合は、バイパス通路が完全に閉じられるので、水源からの水はすべて冷水路を通って混合水路に送り込まれ、このとき、混合調整器によって温水と水とが所定の混合割合に調整され、そして、この調整後の混合水が混合水路から補助熱源機の入水路に送られるので、温水供給器の温水を十分に利用することができる。
【００１６】
（２）また、上記湯水混合ユニットにおいて、上記バイパス通路は、混合水路内に送り込まれる温水を所定温度以下に冷ませる水量の水を供給可能とする構成であることを特徴とする。
上記手段によると、温水と水との混合制御の出来ない異常が起こった場合、混合水路内に送り込まれる温水はバイパス通路からの水で所定温度以下の安全温度域まで確実に冷まされるので、高温の混合水が補助熱源機に供給されることはなく補助熱源機の使用者が火傷等を負うようなことも確実に防止できる。
【００１７】
（３）また、上記湯水混合ユニットにおいて、上記バイパス通路の下流端は、上記混合水路における上記温水路および上記冷水路の合流点よりも下流側に接続されることを特徴とする。
【００１８】
上記手段によると、温水と水との混合制御の出来ない異常として、例えば、混合調整器の調節弁が破損等して上記温水路または上記冷水路が閉塞されても、バイパス通路の下流端が上記温水路および上記冷水路の合流点よりも下流側に接続されているので、上記合流点を迂回した状態でバイパス通路から水を混合水路、ひいては補助熱源機の入水路に確実に供給することができる。従って、たとえ上記温水路または上記冷水路が閉塞されても補助熱源機には水、あるいは低温の混合水が確実に供給されるので、補助熱源機からの出湯を絶やすようなことがなく、安定した給湯を実現できる。
【００１９】
【発明の効果】
以上のように、本発明によれば、温水と水との混合制御の出来ない異常が起こっても、温水路は遮断されないので、温水供給器からの温水を有効に利用することができ、しかも、混合水路内の温水はバイパス通路からの水で所定温度以下の安全温度域まで冷まされるので、高温の混合水が補助熱源機に供給されることはなく補助熱源機の使用者が火傷等を負うようなこともない。従って、上記のような異常が起こっても、温水供給器の温水を有効利用できると共に給湯使用者の安全も十分に確保できる。
【００２０】
しかも、安全温度域にまで冷まされた混合水が補助熱源機に供給される結果、この低温の混合水を補助熱源機で給湯設定温度に加熱して出湯されるので、安定した給湯をも同時に実現できる。
【００２１】
また、温水路には、従来例のような電磁開閉弁が設けられておらず通水抵抗が小さいので、補助熱源機側への温水の供給を多く確保できる。
また、上記開閉弁が水の通るバイパス通路に設けられ、この開閉弁には高温耐熱性が要求されないので、開閉弁を耐熱材料で構成する必要もなく低コストに製作でき、しかも、この開閉弁に対する熱的負荷が小さいので故障率も一段と低くできる。
【００２２】
このように、本発明による湯水混合ユニットでは、温水供給器の温水が有効利用でき、温水路での通水抵抗が小さいため補助熱源機や給湯システムの性能が十分に引出せ、しかも安全性および耐久性に優れた信頼の高いものを実現できる。
【００２３】
【発明の実施の形態】
以下に、本発明の実施の形態について添付図面を参照しながら説明する。なお、以下の実施の形態では、温水供給器として太陽熱温水器を、本発明の湯水混合ユニットによって補助熱源機としての給湯器に接続したソーラ給湯システムを例に挙げて説明する。
図１は、本発明の実施の形態による湯水混合ユニット１を用いたソーラ給湯システムの全体構成図であり、太陽熱温水器５は湯水混合ユニット１を介して給湯器７に配管接続されている。なお、このソーラ給湯システムにおける給湯器７としては、太陽熱温水器５の接続を予定していない既設のものでもよいし、太陽熱温水器５との接続を予定して作製されたものでもよい。
【００２４】
まず、図１を参照して、このソーラ給湯システムの各部の構成から説明する。（太陽熱温水器）
上記太陽熱温水器５は、太陽熱を吸収する集熱器５０と貯湯タンク５１内とを循環するように形成された蓄熱循環路５２を具備しており、この蓄熱循環路５２にはホッパ５３と循環ポンプ５４とが配設されている。また、貯湯タンク５１の底部には、上水道等の水源の給水路６０から延設されて水を供給するソーラ用給水路５５と、水抜栓５７を具備する水抜路５８とが接続されていると共に、貯湯タンク５１の頂部には、この貯湯タンク５１のソーラ温水（温水）を取出すソーラ出湯路５６が引き出されている。そして、上記循環ポンプ５４を駆動させ畜熱循環路５２内の液状媒体を循環させると、上記集熱器５０で加熱された液状媒体が畜熱循環路５２を通じて貯湯タンク５１内へ導かれて貯湯タンク５１内の水を熱交換加熱してソーラ温水とし、この貯湯タンク５１内のソーラ温水がソーラ出湯路５６を経て上記湯水混合ユニット１側に送り込まれる。
【００２５】
（給湯器）
上記給湯器７は、図示しないバーナで加熱される熱交換器７３が内蔵された給湯器本体７０と、各種操作部等（運転スイッチ、浴槽の湯張りスイッチ・追い炊きスイッチ、湯温設定器、表示部等）が配置されたリモコン７１と、このリモコン７１と配線ケーブル７８で接続されて浴槽８１や出湯蛇口８５での給湯を制御する給湯制御部７２とを備える。また、上記熱交換器７３には、入水路７６と出湯路８４が接続されると共に、浴槽８１との間で湯張り及び追焚きに使用される往き管８２と戻り管８３が接続されている。そして、出湯路８４には、往き管８２との間に浴槽８１へお湯を供給するための風呂落とし込み路７４が設けられ、この風呂落とし込み路７４には、落とし込み開閉弁７５が設けられ、その下流の往き管８２との接続点には三方弁８０が設けられている。また、出湯路８４の末端には出湯蛇口８５が設けられている。なお、この他に、図示しないが、入水路７６、出湯路８４、往き管８２および戻り管８３には、温度センサが設けられており、さらに、入水路７６および往き管８２には、ポンプ、水量センサが設けられている。
【００２６】
（湯水混合ユニット）
上記湯水混合ユニット１は、上記太陽熱温水器５を上記給湯器７に接続するための装置であり、太陽熱温水器５からのソーラ温水が通されるソーラ温水路１４と、上水道等の水源からの水が通される冷水路１５と、これらソーラ温水路１４と冷水路１５とが合流されてソーラ温水（温水）と水との混合水が通される混合水路２９と、上記混合水路２９に流入されるソーラ温水と水の混合割合を調整する混合調整器３と、この湯水混合ユニット１の制御を行う混合制御部１１とを備える。
【００２７】
上記ソーラ温水路１４は、その流入口１６に上記太陽熱温水器５のソーラ出湯路５６が接続され、その下流端で上記混合水路２９に接続されている。このソーラ温水路１４には、上流側から順に、ソーラ温水の除塵機能を兼ねたフィルタ付き水抜き栓２１、バキュームブレーカ１２、逆止弁１３、ソーラ温水温センサ１９がそれぞれ配設されている。そして、このソーラ温水路１４には、従来例のような電磁開閉弁（図４中、符号４６２）が設けられておらず通水抵抗が小さいので、給湯器７側へのソーラ温水供給を多く確保できる。
【００２８】
上記冷水路１５は、その流入口１７に給水路６０の一部が減圧弁６１の下流から分岐されて延設された給水分岐路１０が接続され、その下流端で上記混合水路２９に接続されている。この冷水路１５には、上流側から順に、水中の除塵機能を兼ねたフィルタ付き水抜き栓３０、逆止弁２２、冷水温センサ２３がそれぞれ配設されている。
【００２９】
上記混合水路２９は、上記ソーラ温水路１４および上記冷水路１５が合流されると共にその流出口１８に給湯器７の入水路７６が接続される。この混合水路２９には、上流側から順に、給水量調節弁２４、温水量調節弁２５、水量センサ３２、混合水温センサ３３、混合水路２９の水圧が過剰上昇したときに開弁し圧力開放を行う機能を兼ねた逃し弁兼水抜き栓３５がそれぞれ配設されている。そして、上述のように温水量調節弁２５を給水量調節弁２４の下流位置に設けるのは、上流の給水量調節弁２４の開弁によって流れる水でこの温水量調節弁２５を覆うことで温水量調節弁２５の耐熱性を確保させるようにするためである。すなわち、温水量調節弁２５には常に高温のソーラ温水が当たりその高温耐久性が必要となるが、冷水路１５からの水によってソーラ温水による熱的負荷を緩和させている。
【００３０】
上記混合調整器３は、混合水路２９におけるソーラ温水路１４との接続点に設けられた上記温水量調節弁２５と、混合水路２９における冷水路１５との接続点に設けられた上記給水量調節弁２４とから構成されている。
【００３１】
上記混合制御部１１は、上記給湯器７の給湯制御部７２と配線ケーブル７７で接続されてリモコン７１からの設定温度信号が入力される他に、上記ソーラ温水温センサ１９、冷水温センサ２３、混合水温センサ３３、水量センサ３２等からの各検知信号の入力を受けると共に、上記混合調整器３における上記給水量調節弁２４および上記温水量調節弁２５、後述するバイパス通路２８の開閉弁３１に対してそれぞれ制御信号を出力し、これらの動作制御を行う。
【００３２】
上記の給水量調節弁２４および温水量調節弁２５は、上記混合制御部１１からの制御信号で動作制御されるモータと、このモータの回転量に応じて進退するニードル弁とから構成される。そして、例えば、温水量調節弁２５におけるニードル弁が後退するにつれソーラ温水路１４から混合水路２９へ流れ込むソーラ温水の量が増し、逆にニードル弁が進退するにつれソーラ温水の量が減少し、さらにニードル弁が前進限位置に達してソーラ温水路１４下流端の弁座口を塞いでしまうと、ソーラ温水の供給が遮断される。上記給水量調節弁２４についても同様のことが言える。なお、上記温水量調節弁２５と上記給水量調節弁２４として、それぞれのニードル弁を、共通の（単一の）モータで駆動させるようにしてもよく、この場合、例えば歯車機構を介して単一のモータと各ニードル弁を連結し、一方のニードル弁が開弁動作すると他方のニードル弁が閉弁動作する構造にすればよい。
【００３３】
また、この湯水混合ユニット１には、上記冷水路１５から分岐されて上記混合水路２９に至るバイパス通路２８が設けられると共に、このバイパス通路２８には開閉弁３１が設けられている。この開閉弁３１としては、電磁開閉弁等が使用され、弁体と、この弁体を閉動作させるソレノイドと、この弁体を全開状態に付勢保持させるバネ等の弾性部材とを備える。この開閉弁３１は、そのソレノイドへの電圧供給が停止されると弾性部材で付勢されて弁体が全開状態になる、いわゆる常開の開閉弁である。上記開閉弁３１は、水の流れるバイパス通路２８に設けられているので、高温耐熱性が要求されることもない。従って、この開閉弁３１を耐熱材料で構成する必要もなく低コストに製作でき、しかも、この開閉弁３１に対する熱的負荷が小さいので故障率も一段と低くできる。
【００３４】
そして、この開閉弁３１における開閉動作も、上述したように上記混合制御部１１からの制御信号によって動作制御される。すなわち、この湯水混合ユニット１が正常に機能されている場合は、上記混合制御部１１からの制御信号によって開閉弁３１におけるソレノイドへの電圧供給が行われ、この開閉弁３１を全閉状態とし、この場合は、上記バイパス通路２８が遮断されている。
【００３５】
一方、上記給水量調節弁２４や上記温水量調節弁２５の故障、上記各温度センサ１９，２３，３３の故障等によってソーラ温水と水との混合制御の出来ない異常が起こった場合に、上記混合制御部１１からの制御信号によって開閉弁３１におけるソレノイドへの電圧供給が停止され、この開閉弁３１を全閉状態から全開状態とし、上記冷水路１５内の水が上記バイパス通路２８を通して上記混合水路２９に流れ込むようにする。
【００３６】
また、停電が起こった場合も、上記開閉弁３１のソレノイドへの電圧供給が停止されるので、開閉弁３１が全開状態となってバイパス通路２８から水が混合水路２９に流れ込むようになる。
【００３７】
また、上記バイパス通路２８は、混合水路２９内に送り込まれるソーラ温水を所定温度以下に冷ませる水量の水を供給可能とする構成を有する。例えば、バイパス通路２８の口径サイズとして、例えソーラ温水路１４から１００℃のソーラ温水が最大供給量で上記混合水路２９に流れ込んで来てもこのソーラ温水を所定温度以下に冷ませる水量の水を供給可能とするように設定すればよい。ここで、上記所定温度とは、給湯器７の使用者が火傷を負うようなことがない上限温度を意味し、例えば、約６０℃程度に設定される。
【００３８】
このように、停電、給水量調節弁２４や温水量調節弁２５の故障、各温度センサ１９，２３，３３の故障等が発生し、ソーラ温水と水との混合制御の出来ない異常が起こった場合に、給水量調節弁２４および温水量調節弁２５でのソーラ温水の量と水の量の混合比がどのような状態であってもバイパス通路２８から送り込まれる水によって混合水路２９内のソーラ温水が所定温度（約６０℃）以下の安全温度域まで冷まされることとなる。従って、ソーラ温水と水との混合制御の出来ない上記異常が起こっても、ソーラ温水路１４は遮断されないので、ソーラ温水を有効に利用することができ、しかも、混合水路２９内の混合水はバイパス通路２８からの水で所定温度（約６０℃）以下の安全温度域まで冷まされるので、高温の混合水が給湯器７に供給されることはなく給湯器７の使用者が火傷等を負うようなこともない。
【００３９】
また、上記バイパス通路２８の下流端が上記ソーラ温水路１４および上記冷水路１５の接続点よりも下流側に接続されているので、仮に、温水量調節弁２５あるいは水量調節弁２４が破損等して混合水路２９における上記ソーラ温水路１４または上記冷水路１５の接続点が閉塞されても、上記接続点を迂回した状態でバイパス通路２８から水を混合水路２９、ひいては給湯器７の入水路７６に確実に供給することができる。従って、たとえ上記接続点が閉塞されても給湯器７には水、あるいは低温の混合水が確実に供給されるので、給湯器７からの出湯を絶やすようなことがなく、安定した給湯を実現できる。
【００４０】
（湯水混合ユニットにおける動作）
次に、上記湯水混合ユニット１における動作を説明する。
以下に、この湯水混合ユニット１の動作を、図２に示したフローチャート従って説明する。
図２を参照して、湯水混合ユニット１に電源が入れられると、上記バイパス通路２８の開閉弁３１が全閉状態にされ（ステップＳ１）、ステップＳ２において混合水路２９の水量センサ３２の出力を監視する。そして、給湯蛇口８５や浴槽の湯張り弁が開かれて給湯動作が始まると混合水路２９の通水を検知して水量センサ３２がＯＮ信号を混合制御部１１に出力する。
すると、ソーラ温水温センサ１９で検知されたソーラ温水温度が、給湯器７のリモコン７１に入力された給湯設定温度より高い場合は、混合水の混合目標設定温度が上記給湯設定温度となるように混合制御部１１の制御によって混合調整器３の混合割合が決定される。一方、上記ソーラ温水温度が上記給湯設定温度より低い場合は、混合水の混合目標設定温度が上記給湯設定温度から給湯器７の燃焼による上昇温度分だけ減算した温度となるように混合制御部１１の制御によって混合調整器３の混合割合が決定される。このように混合調整器３の混合割合が予め決定され、次のステップＳ３に移行する。
【００４１】
ステップＳ３において、混合制御部１１は、混合水路２９内の混合水温度である混合水温センサ３３の検知温度と、上記混合水の混合目標設定温度とを比較する（なお、図２のＳ３中で「設定温度」とは、上記混合水の混合目標設定温度を示す。）。そして、上記混合水の温度が上記混合目標設定温度より低温状態にある場合は、太陽熱温水器５から供給されるソーラ温水の混合量を増加させるか、または水源から給水される水の混合量を減少させる制御を、ステップＳ４〜Ｓ７で実行する。
【００４２】
すなわち、ステップＳ４で温水量調節弁２５が全開状態に無いことが確認されると、ステップＳ５で温水量調節弁２５の開度レベルを１つ（例えば最大開度の１０分の１）だけ増加させる。上記ステップＳ４を実行したときに温水量調節弁２５が全開状態になっているときは、ステップＳ６で給水量調節弁２４の開度を判断し、これが全閉状態に無いときは、ステップＳ７で給水量調節弁２４の開度レベルを１つ（例えば最大開度の１０分の１）だけ絞る。
【００４３】
一方、上記ステップＳ３で、混合水の温度が上記混合目標設定温度より高い場合は、太陽熱温水器５から供給されるソーラ温水の混合量を減少させるか、または水源から給水される水の混合量を増加させる制御を、ステップＳ８〜Ｓ１１で実行する。
【００４４】
すなわち、ステップＳ８で温水量調節弁２５が全閉で無いことが確認されると、ステップＳ９で温水量調節弁２５の開度レベルを１つ絞る。上記ステップＳ８で温水量調節弁２５が全閉状態にあることが確認されると、ステップＳ１０で給水量調節弁２４の開度を判断し、これが全開状態に無いときは、ステップＳ１１で給水量調節弁２４の開度レベルを１つ増加させる。
【００４５】
このようにして、太陽熱温水器５からのソーラ温水と水源からの水の混合割合を調整することにより、太陽熱温水器５から供給されるソーラ温水の温度がリモコン７１での給湯設定温度より高い場合は、上記給湯設定温度のお湯が湯水混合ユニット１からの混合水として給湯器７へ流出するように制御される。すると、この給湯設定温度のお湯が給湯器７の出湯蛇口８５等から出湯される。
【００４６】
一方、太陽熱温水器５から供給されるソーラ温水の温度がリモコン７１での給湯設定温度より低い場合は、上記給湯設定温度から給湯器７の燃焼による上昇温度分だけ減算した温度となった混合水が給湯器７に送り込まれる。すると、給湯器７のバーナが燃焼して温度不足状態にある混合水が熱交換器７３で加熱昇温される。すなわち、給湯器７内において出湯路８４に配設された温度センサ（図示せず）の検知する出湯温度がリモコン７１での給湯設定温度に等しくなるように給湯器７の給湯制御部７２がバーナの燃焼量をコントロールすることから、この給湯器７の機能によって上記混合水が給湯設定温度まで加熱昇温され、上記給湯設定温度のお湯が出湯蛇口８５や浴槽８１に送られる。
【００４７】
（異常時の動作）
次に、このソーラ給湯システムに異常が起こった場合の動作を説明する。
このような異常として、例えば、正常運転中に停電が発生した場合、温水量調節弁２５や給水量調節弁２４が故障した場合、各温度センサ１９，２３，３３，が故障した場合等が挙げられるが、まずは、温水量調節弁２５または給水量調節弁２４が故障し、ソーラ温水と水との混合制御が出来なくなって高温のソーラ温水が混合水路２９から流出してしまう場合の動作を、図２に基づいて説明する。この異常時の制御動作は、図２のフローチャートにおけるステップＳ１２〜Ｓ１４で行われる。
すなわち、上記ステップＳ５、Ｓ７、Ｓ９、Ｓ１１において、温水量調節弁２５あるいは給水量調節弁２４を動作させた後に、ステップＳ１２に移行させる。
【００４８】
そして、ステップＳ１２において、混合制御部１１は、混合水路２９の混合水温センサ３３での混合水温度において給湯設定温度から一定の温度上昇（＋α℃）が見られるか否かを監視し、一定の温度上昇（＋α℃）が検出されると、次のステップＳ１３に進み、この温度上昇の継続時間の計測を開始する。なお、図２のＳ１２中で、「設定」とはリモコン７１での上記給湯設定温度を示し、「α温度」とは、上記一定の温度上昇（＋α℃）相当の温度を示す。そして、この状態が、例えばＸ時間継続した場合には、混合調整器３における温水量調節弁２５あるいは給水量調節弁２４が故障し、ソーラ温水と水との混合制御が出来なくなった異常が起こったと判断し、次のステップＳ１４に進む。なお、上記温度上昇値α℃や経過時間Ｘ等は、太陽熱温水器５や給湯器７の能力等に応じて適宜に決定すればよい。
【００４９】
そして、ステップＳ１４において、混合制御部１１は、バイパス通路２８に設けた開閉弁３１に対し、この開閉弁３１への電圧供給を停止させる制御信号を出力し、この開閉弁３１を全開状態とすると同時に、異常報知（ブザー、図示しない表示部への異常表示など）を行う。これによって、バイパス通路２８が全開され、このバイパス通路２８から冷水路１５内の水が混合水路２９に直接送り込まれる。従って、上記異常の場合に温水量調節弁２５および給水量調節弁２４でのソーラ温水の量と水の量との混合比がどのような状態であってもバイパス通路２８から送り込まれる水によって混合水路２９内のソーラ温水が所定温度（約６０℃）以下の安全温度域まで冷まされることとなる。
【００５０】
このようにして、温水量調節弁２５または給水量調節弁２４が故障し、ソーラ温水と水との混合制御の出来ない異常が起こった場合、ソーラ温水路１４は遮断されないので、太陽熱温水器５のソーラ温水を有効に利用することができ、しかも、混合水路２９内のソーラ温水はバイパス通路２８からの水で安全温度域まで冷まされるので、高温の混合水が給湯器７に供給されることはなく給湯器７の使用者が火傷等を負うようなこともない。そして、使用者は、上記異常報知によってシステム異常が知らされるので、異常復旧のメンテナンスに直ちに取りかかれる。
【００５１】
また、仮に、温水量調節弁２５あるいは給水量調節弁２４が破損等して混合水路２９における上記ソーラ温水路１４または上記冷水路１５の接続点が閉塞されても、上記バイパス通路２８の下流端がこれら接続点よりも下流側に接続されているので、上記接続点を迂回した状態でバイパス通路２８から水を混合水路２９、ひいては給湯器７の入水路７６に確実に供給することができる。従って、たとえ上記接続点が閉塞されても給湯器７には水、あるいは低温の混合水が確実に供給されるので、給湯器７からの出湯を絶やすようなことがなく、安定した給湯を実現できる。
【００５２】
なお、上記ステップＳ１２で混合水温度の給湯設定温度から一定の温度上昇（＋α℃）が検出されない場合や、上記ステップＳ１３でＸ時間の継続が検出されない場合は、上記異常は無しとしてステップＳ２へ戻される。
【００５３】
一方、このソーラ給湯システムの運転中等に、停電が発生したような場合は、上記湯水混合ユニット１がどのような制御状態にあっても、上記開閉弁３１への電圧供給が停止される結果、この場合も、開閉弁３１が全開状態となってバイパス通路２９が開けられ、このバイパス通路２９から冷水路１５内の水が混合水路２９に直接送り込まれる。従って、停電が発生し、ソーラ温水と水との混合制御の出来ない異常が起こった場合でも、太陽熱温水器５のソーラ温水を有効に利用でき、しかも、高温水が給湯器７に供給されることはなく給湯器７の使用者が火傷等を負うようなことも起こらない。
【００５４】
また、各温度センサ１９，２３，３３が故障しいずれかの温度センサ１９，２３，３３からの信号が混合制御部１１に出力されなくなった場合も、上記湯水混合ユニット１がどのような制御状態にあっても、上記混合制御部１１は、上記ステップＳ１４で行った動作と同じように、開閉弁３１への電圧供給を停止させる制御信号を出力し、開閉弁３１を全開状態とすると同時に、異常報知（ブザー、図示しない表示板への異常表示など）を行う。従って、各温度センサ１９，２３，３３のどれかが故障し、ソーラ温水と水との混合制御の出来ない異常が起こった場合でも、太陽熱温水器５のソーラ温水を有効に利用でき、しかも、高温の温水が給湯器７に供給されることはなく給湯器７の使用者が火傷等を負うようなことも起こらない。
【００５５】
以上のように、本実施の形態による湯水混合ユニット１によれば、ソーラ温水と水との混合制御の出来ない異常が起こっても、ソーラ温水路１４は遮断されないので、太陽熱温水器５のソーラ温水を有効に利用することができ、しかも、混合水路２９内のソーラ温水はバイパス通路２８からの水で所定温度（例えば、約６０℃）以下の安全温度域まで冷まされるので、高温の混合水が給湯器７に供給されることはなく給湯器７の使用者が火傷等を負うようなこともない。従って、上記のような異常が起こっても、ソーラ温水を有効利用できると共に給湯器７使用者の安全も十分に確保できる。
【００５６】
加えて、安全温度域にまで冷まされた混合水が給湯器７に供給される結果、この低温の混合水を給湯器７で給湯設定温度に加熱して供給されるので、安定した給湯をも同時に実現できる。
このように、上記湯水混合ユニット１は、ソーラ温水が有効利用でき、ソーラ温水路１４での通水抵抗が小さいため給湯器７やソーラ給湯システムの性能が十分に引出せ、しかも安全性および耐久性に優れた信頼の高いものを実現できる。
【００５７】
なお、本発明は、上記実施の形態に限られず、例えば、上記実施の形態では、混合調整器３として、ソーラ温水と水との混合を上記温水量調節弁２５と上記給水量調節弁２４とによる２軸制御で行っているが、１軸制御で行うものでもよい。この１軸制御で行う混合調整器としては、例えば、図３に示す混合調整弁２のように、ソーラ温水路１４と冷水路１５の合流点に単一の弁体２０を具備するものであり、この弁体２０を図示しないモータで回動させ角度調節することにより、ソーラ温水路１４からのソーラ温水と冷水路１５からの水の混合割合を調整することによる。
【００５８】
また、図２に示した上記ステップＳ１２、Ｓ１３における異常検出においては、混合水路２９の混合水温センサ３３が一定時間以上の高温状態を検出した場合に異常を判断するようにしているが、これを高温水の積算流量を基にして異常を判断するようにしてもよいし、また、上記混合水の温度検出を、給湯器７の入水路７６に設けた温度センサ（図示せず）の出力信号を給湯制御部７２から配線ケーブル７７を通じて混合制御部１１へ入力するようにしてこの信号を利用するようにし、上記混合水温センサ３３を不要とする構成にしてもよい。
【００５９】
また、図２に示した上記ステップＳ２における水量検出を湯水混合ユニット１内の水量センサ３２で行うようにしたが、給湯器７における入水路７６や往き管８２に配設された水量センサ（図示せず）の出力信号を給湯制御部７２から配線ケーブル７７を通じて混合制御部１１へ入力するようにしてこの信号を利用するようにしてもよく、この場合、湯水混合ユニット１内の水量センサ３２を不要とすることができ、必要部品数を少なくすることができる。
【００６０】
また、湯水混合ユニット１への電源供給は、給湯器７の給湯制御部７２から配線ケーブル７７を通じて行うようにしてもよいし、給湯器７とは別個独立に外部電源から供給を受けるようにしてもよい。
【００６１】
また、上記実施の形態では、ステップＳ１２での異常判断のため、しきい値として混合水温度が給湯設定温度＋α℃より上昇した場合で説明したが、その他の方法として混合水温度が一定の上限値、例えば、給湯設定温度に応じ予め定められた固定値より上昇したときに異常と判断し、バイパス通路１５における開閉弁３１を開弁させるようにしてもよい。
さらに、上記実施の形態では、上記温水供給器として太陽熱温水器５を用いているが、これに限らず、例えば廃熱利用の温水器等その他種々の温水供給器であってもよい。
【図面の簡単な説明】
【図１】本発明の実施の形態による湯水混合ユニットを用いたソーラ給湯システムの全体構成を示す構成図である。
【図２】湯水混合ユニットにおける動作制御を示すフローチャートである。
【図３】他の実施の形態における、１軸制御の混合調節弁を示す断面図である。
【図４】従来の湯水混合ユニットを用いた給湯システムの全体構成を示す構成図である。
【符号の説明】
１  湯水混合ユニット
３  混合調整器
５  太陽熱温水器（温水供給器）
７  給湯器（補助熱源機）
１０  給水分岐路
１１  混合制御部
１２  バキュームブレーカ
１３  逆止弁
１４  ソーラ温水路
１５  冷水路
１６  ソーラ温水路の流入口
１７  冷水路の流入口
１８  混合水路の流出口
１９  ソーラ温水温センサ
２１  フィルタ付き水抜き栓
２２  逆止弁
２３  冷水温センサ
２４  給水量調節弁
２５  温水量調節弁
２８  バイパス通路
２９  混合水路
３０  フィルタ付き水抜き栓
３１  開閉弁
３２  水量センサ
３３  混合水温センサ
３５  逃し弁兼水抜き栓
５６  太陽熱温水器のソーラ出湯路
７６  給湯器の入水路
【図１】
0003728272.tif 000002
【図２】
0003728272.tif 000003
【図３】
0003728272.tif 000004
【図４】
0003728272.tif 000005